Podtech/llm-jp-corpus-v4-ja_patent huggingface dataset:
(57)【要約】【課題】この発明に係る窓付きエレベータは、防犯機能を損なうことなく、恐怖感、不安感を解消し、またかご側扉の開動作に支障をきたすような事態の発生が低減される窓付きエレベータを得る。【解決手段】この発明に係る窓付きエレベータは、かご側扉５及び乗場側扉にそれぞれ窓７が設けられた窓付きエレベータにおいて、かご側扉５の窓７には、乗場側のみから透視できるマジックミラー９が取り付けられ、乗場側扉の窓には、乗場側及びかご１側から透視できるガラスが取り付けられている。【選択図】図２
2009249055.tif 000002
【特許請求の範囲】
【請求項１】
かご側扉及び乗場側扉にそれぞれ窓が設けられた窓付きエレベータにおいて、
前記かご側扉の前記窓には、乗場側のみから透視できるマジックミラーが取り付けられ、前記乗場側扉の前記窓には、前記乗場側及び前記かご側から透視できるガラスが取り付けられていることを特徴とする窓付きエレベータ。
【請求項２】
前記マジックミラーは、編み入りガラスで構成されていることを特徴とする請求項１に記載の窓付きエレベータ。
【発明の詳細な説明】
【技術分野】
【０００１】
この発明は、かご側扉及び乗場側扉にそれぞれ窓が設けられた窓付きエレベータに関するものである。
【背景技術】
【０００２】
従来、かご側扉及び乗場側扉の窓にそれぞれ透明ガラスが取り付けられた窓付きエレベータが知られている（例えば、特許文献１参照）。
【０００３】
【特許文献１】特開平７−２５２０６０号公報
【発明の開示】
【発明が解決しようとする課題】
【０００４】
このものの場合、防犯上の観点からかご側扉及び乗場側扉の窓にそれぞれ透明ガラスが取り付けられているが、下記のような問題点があった。
イ．乗客によっては、窓を通じて外部の景色が目に入ることで、恐怖感を覚える。
ロ．かご内では、背面側に位置した乗客の様子を視認することができず、不安感を覚えることがある。
ハ．例えば、子供が外部の景色を視るに両手を透明ガラスに押しつけて景色に夢中になっているときに、かご側扉が開き、かご側扉の開動作の支障になる。
【０００５】
この発明は、上記のような問題点を解決することを課題とするものであって、防犯機能を損なうことなく、恐怖感、不安感を解消し、またかご側扉の開動作に支障をきたすような事態の発生が低減される窓付きエレベータを得ることを目的とする。
【課題を解決するための手段】
【０００６】
この発明に係る窓付きエレベータは、かご側扉及び乗場側扉にそれぞれ窓が設けられた窓付きエレベータにおいて、前記かご側扉の前記窓には、乗場側のみから透視できるマジックミラーが取り付けられ、前記乗場側扉の前記窓には、前記乗場側及び前記かご側から透視できるガラスが取り付けられている。
【発明の効果】
【０００７】
この発明による窓付きエレベータによれば、かご側扉の窓に、乗場側のみから透視できるマジックミラーを取り付けたことにより、防犯機能を損なうことなく、恐怖感、不安感を解消し、またかご側扉の開動作に支障をきたすような事態の発生が低減されるという効果がある。
【発明を実施するための最良の形態】
【０００８】
実施の形態１．
図１はこの発明の実施の形態１の窓付きエレベータを乗場側から視たときの斜視図、図２は図１の窓付きエレベータをかご側から視たときの正面図、図３は図１の窓付きエレベータを示す平断面図である。
【０００９】
この窓付きエレベータでは、昇降路内を昇降するかご１の側面には、かご敷居４の溝に沿って左右に移動して開閉するかご側扉５が設けられている。このかご１でかご側扉５の片側には行き先階釦２、開閉釦３が設けられている。かご側扉５の上側のかご１にはインジゲータ６が設けられている。
かご側扉５には、窓７が形成されている。この窓７には、乗場８側のみから透視できる編み入りガラスで構成されたマジックミラー９が取り付けられている。
【００１０】
乗場８側には、乗場出入口を形成する三方枠１０が設けられている。また、壁１１に沿って平行に延びた乗場敷居１２が設けられている。かご側扉５に対面して、乗場敷居１２の溝に沿って左右に移動して開閉する乗場側扉１３が設けられている。乗場側扉１３の片側には乗場呼出釦１６が設けられている。
乗場側扉１３には、窓１４が形成されている。この窓１４には、乗場８側からかご１側を透視できる従来の編み入りガラス１５が取り付けられている。
【００１１】
この窓付きエレベータでは、かご側扉５の窓７には、乗場８側のみから透視できるマジックミラー９が取り付けら、乗場側扉１３の窓１４には、乗場８側及びかご１側から透視できる編み入りガラス１５が取り付けられている。
従って、この窓付きエレベータでは、次のような効果がある。
イ．乗場８側からはかご１内の様子を見ることができ、防犯上の機能を有している。
ロ．窓７を通じて外部の景色が目に入ることはなく、恐怖感を覚えることはない。
ハ．外部の景色が目に入らないことから、例えば子供が外部の景色を見たさに両手をマジックミラー９に押し当てるようなことは減少し、かご側扉５の開動作の支障になるようなことは大幅に減少する。
ニ．かご１内では、背面側に位置した乗客の様子を視認することができ、見えないことから生じる不安感から解消される。
ホ．乗客は、マジックミラー９を通じて自身の姿をチェックすることができる。
ヘ．既存の透視ガラスを備えたエレベータに対しては、透視ガラスをマジックミラー９に交換するだけで簡単に対応することができる。
ト．マジックミラー９は、編み入りガラスで構成されているので、乙種防火戸としての機能を有している。
【図面の簡単な説明】
【００１２】
【図１】この発明の実施の形態１の窓付きエレベータを乗場側から視たときの斜視図である。
【図２】図１の窓付きエレベータをかご側から視たときの正面図である。
【図３】図１の窓付きエレベータを示す平断面図である。
【符号の説明】
【００１３】
１  かご、２  行先階釦、３  開閉釦、４  かご敷居、５  かご側扉、６  インジゲータ、７  窓、８  乗場、９  マジックミラー、１０  三方枠、１１  壁、１２  乗場敷居、１３  乗場側扉、１４  窓、１５編み入りガラス、１６  乗場呼出釦。
【図１】
2009249055.tif 000003
【図２】
2009249055.tif 000004
【図３】
2009249055.tif 000005
(57)【要約】【課題】      上部フィルムを必要以上に剥がさず使用でき、ストローの差込口から注ぎ入れる事も可能にする、ポーションパックの一端にノズルを設けたノズル（注ぎ口）つきポーションパックを提供する。【解決手段】  ポーションパック（１）の一端にノズル（２）を設け、ノズル（２）の先端に開封口（３）、上部はフィルム（４）等で塞いだ、ノズル（注ぎ口）つきポーションパックを特徴とする。【選択図】図１
2009249040.tif 000002
【特許請求の範囲】
【請求項１】
（イ）    ポーションパック（１）の一端にノズル（２）を設ける。
（ロ）    ノズル（２）の先端に開封口（３）を設ける。
（ハ）    上部は、フィルム（４）等で塞ぐ。
以上の構成よりなるノズル（注ぎ口）つきポーションパック。
【発明の詳細な説明】
【技術分野】
【０００１】  この発明は、ポーションパックにノズルを設けた、ノズル（注ぎ口）つきポーションパックに関するものである。
【背景技術】
【０００２】  従来のポーションパックは、容器部分と開封口で構成されていた。
【発明の開示】
【発明が解決しようとする課題】
【０００３】  これは次のような欠点があった。
（イ）  開封の際、上部フィルムを１センチメートルほど剥がす必要があった。
（ロ）  ファーストフード店で多く利用されているアイスコーヒーなどの飲料カップは          、ストローの差込口を設けた蓋付の飲料カップである。その飲料カップにポー          ションパックを使用する際、一度蓋を外し、コーヒーミルクやガムシロップを          注ぎ入れ、再度蓋をはめ直してから飲料するので、蓋を脱着する手間を要した          。
（ハ）  特に車中などテーブルや台の無い不安定な状況でポーションパックを使用する          場合、開封及びフィルムを剥がす際に両手を使うので、開封作業の間はコーヒ          ーカップ等を手で支えることが出来ず、カップを倒す心配が常に付きまとい、          常に不安であった。
本発明は、以上のような欠点をなくすためになされたものである。
【課題を解決するための手段】
【０００４】  ポーションパック（１）の一端にノズル（２）を設け、ノズル（２）の先端に開封口（３）を設ける。上部はフィルム（４）等で塞ぐ。
本発明は、以上の構成よりなるノズル（注ぎ口）つきポーションパックである。
【発明の効果】
【０００５】  ポーションパック本体にノズル（注ぎ口）を設けているので、上部フィルムを必要以上に剥がさず使用でき、片手でも容易に扱える。
ストローの差込口などを設けた蓋付きの飲料カップでも、ストローの差込口からノズルを直接差し込み注ぎ入れることが出来る為、蓋を脱着する手間が省ける。
【発明を実施するための最良の形態】
【０００６】  以下、本発明を実施するための最良の形態について説明する。
ポーションパック（１）の一端に注ぎ口の役割を果たすノズル（２）を設ける。
ノズル（２）の先端に開封口（３）を設ける。
上部はフィルム（４）等で塞ぐ。
本発明は、以上のような構造である。
これを使用するときは、開封することで容易に注ぎ口が露出する為、側面や底面などを押すことでポーションパック内の液体を簡単に注ぎ出す事が出来る。
【図面の簡単な説明】
【０００７】
【図１】  本発明の斜視図である。
【図２】  本発明の断面図である。
【符号の説明】
【０００８】  １  ポーションパック
２  ノズル（注ぎ口）
３  開封口
４  フィルム
【図１】
2009249040.tif 000003
【図２】
2009249040.tif 000004
(57)【要約】      （修正有）【課題】粉末の飲料物の入ったスティック状の容器において、ゴミを出さず粉末を溶かすためのスプーン等を用意する必要のない容器を提供する。【解決手段】粉末の飲料物の入ったスティック状の入れ物の下部全体または、一部を硬質コーティングし、またその側面の継ぎ目に切れ目を入れ、そこから引き裂くことで、中身を出し、硬質コーティングされたところを摘んで、湯が注がれた粉末をかき混ぜることができるようにした、スプーン機能付スティック状粉末飲料用容れ物。【選択図】図１
2009249037.tif 000002
【特許請求の範囲】
【請求項１】
粉末の飲料物の入ったスティック状の入れ物の下部全体または、一部を硬質コーティングしたスプーン機能付スティック状粉末飲料用容れ物
【請求項２】
粉末の飲料物の入ったスティック状の入れ物の側面の継ぎ目としての接着部分に切れ目を入れたスプーン機能付スティック状粉末飲料用容れ物
【発明の詳細な説明】
【発明の詳細な説明】
多くのコーヒー、ココアや紅茶のメーカーまた、抹茶を中心とした日本茶においても手軽さから、粉末状にした商品が出回っている。特に、手軽さからいうと、たとえばコーヒー関係の物としては、コーヒー、ミルクパウダー、甘味料等を１人分の量にして、スティック状またはその他の形状のビニールなどの材質でできた容器に入っている物が出回っている。
スティック状のビニール容器に入った粉末飲料を対象として考えると、棒状であるから箱野中からとりだしやすく、ビニールにも加工が施されているため、たやすく切り取って中身を取り出すことができる。しかし、ここで２つの問題点を考えることができる。
１つは、ビニールでできた容器の部を切り取って中身を取り出すために、２つのゴミを出すことになる。
もう１つは、粉末にお湯を注いだ後、かき混ぜるためにスプーン等を用意しなければならない。
本発明は、この２つの欠点を補うことができる。
入れ物の側面の継ぎ目としての接着部分に切れ目（２）を入れてあるが、切れ目の本体といえる接続部分（４）を引き上げると、ビニール容器の側面の一方に裂け目ができる。これにより容器を２つに切り分けることなく中身を出すことができる。この時点で、ビニール容器は、裂けた部分と先端の接着部分（１）がスプーン状に丸みを帯びる。ここでこの空になったビニール容器のスプーン状の丸みを帯びた方を下にして持つと上部は、硬質コーティングされた部分となる。この硬質コーティングされた部分（５）を持って粉末が入ったお湯に上部接着部分（１）からこのビニール容器を入れると中身を出した裂け目の部分から空気とお湯が入ることで内部の気圧が増し、また硬質コーティングしてあるため、湯の中でビニール容器をかき混ぜるため、動かしても折れ曲がったりせずに、スプーンとしての役割を十分に果たすことができる。
【図面の簡単な説明】
【図１】１、上部接着部  ２、側面の継ぎ目に入れた切れ目  ３、側面の継ぎ目である接着部  ４、容器を裂くために引き上げる場所  ５、１部分もしくは全部分を硬質コーティングしてある場所
【図１】
2009249037.tif 000003
(57)【要約】【課題】  容器への液体および粉体を注ぎ易くするための深溝付きロートを提供する。【解決手段】  ロートの円錐状の注ぎ口に立体的かつ曲線的な深溝を付加することで、直線的な流下を回転的な流下に変換して流下量を上げ、また内部の気体も抜けやすくすることを特徴とするロート。【選択図】図１
2009249041.tif 000002
【特許請求の範囲】
【請求項１】
ロート注ぎ口に立体的かつ曲線的な深溝を設け、直線的な流下を回転的な流下に変換し流下速度を上げることを特徴とするロート。
【発明の詳細な説明】
【技術分野】
【０００１】  本発明は、注がれる液体などを収集する為の器具、ロートに関するものである。
【技術背景】
【０００２】  従来のロートにおいては円錐状の注ぎ口の先端に吐出用の管が設けられ、液体などが流下する際に面積が縮小していき収集されていく。
【発明の開示】
【発明が解決しようとする課題】
【０００３】  しかし、単なる円錐状の注ぎ口では、外側においてはロートが差し込まれた容器の開口部と密着し、容器内の気体が排出されない事による流下速の低下が起こり、また内側においては閉塞現象が発生し、流下量が低下する問題があった。
本発明は以上の問題点を解決しようとするものである。
【課題を解決するための手段】
【０００４】  注ぎ口に立体的かつ曲線的な深溝を設け、サイクロン現象を強力に発生させる。また深溝により、差し込まれた容器の開口部との間に隙間を形成し内部の気体を抜け易くしている。
【発明の効果】
【０００５】  本発明はロートにおいて立体的かつ曲線的な深溝を採用する事により流下速度を上げ、容器内部の気体の抜けも高めることができる。
【発明を実施するための最良の形態】
【０００６】  以下、本発明の実施形態を説明する。
図１  １に示すロート本体注ぎ口に２の深溝を外側に凸状とし、かつロート本体吐出口へ向かうにつれ浅くなる様に数本設ける。
本発明を使用するときは、使用する下記条件により形態、構造を変更してもよい。【０００７】  以下、本発明で実施形態が変更される条件を説明する。
（イ）注がれる液体および粉体の物性の違い。
（ロ）注がれる液体および粉体の流量の違い。
（ハ）注がれる液体および粉体の粘性の違い。
（ニ）注ぎ込む容器の開口部の形状、口径の違い。【０００８】  以下、本発明で上記条件（イ）〜（ニ）により変更される形態、構造を説明する。
（ホ）ロートの材質の変更。
（ヘ）ロートの口径、円錐角度の変更。
（ト）深溝の深さ、幅の変更。
（チ）深溝の形状、曲線半径の変更。
（リ）深溝を外側に凸から内側に凸への変更。
（ヌ）深溝の数の変更。
本発明は以上のような構造よりなっている。
【図面の簡単な説明】
【０００９】
【図１】  本発明の斜視図
【図２】  本発明の使用状態を示す斜視図
【符号の説明】
【００１０】      １  ロート本体
２  深溝
３  隙間
４  容器
【図１】
2009249041.tif 000003
【図２】
2009249041.tif 000004
(57)【要約】【課題】生活排出の各種ゴミを分別、整理、整頓して排出するためのゴミ袋ハンガ−を提供する。【解決手段】金属ワイヤ−または合成樹脂で形成するトライアングル形状ハンガ−を基調にして、その底辺軸にゴミ袋を開口した状態で装着できる袋掛け爪を備えたア−ム形成体をはめ込み、ゴミ袋の取っ手を袋掛け爪に掛けたとき袋の開口状態が維持できて、ハンガ−が懸架状態で立体的にゴミを分別、整理、整頓して排出出来るようにしたことを特徴とするゴミ袋ハンガ−。【選択図】図１
2009249180.tif 000002
【特許請求の範囲】
【請求項１】
金属ワイヤ−または合成樹脂で形成されるトライアングル形の衣装掛けハンガ−形状を基調として、トライアングル形状のなす底辺棒に、ゴミ袋を開口状態で装着できる袋掛け爪を複数備えたア−ム形成体を滑り軸またははめ込み軸として連結させ、ア−ム形成体はハンガ−形状に重なる閉の状態から、水平に張り出せる開の状態が出来るようにして、ゴミ袋を装着するときはア−ム形成体を開の状態にしてゴミ袋の取っ手をそれぞれの袋掛け爪にからめることによって、ハンガ−形状が懸架の状態でア−ム形成体がゴミ袋の開口状態を維持できるようにしたことを特徴とするゴミ袋ハンガ−。
【発明の詳細な説明】
【技術分野】
【０００１】本発明は、生活排出の各種ゴミを分別、整理、整頓して排出するためのゴミ袋ハンガ−に関するものである。
【背景技術】
【０００２】従来、生活排出ゴミは生ごみ類は蓋付きバケツや専用ボックスに入れて処理されているが、その他のゴミ類は厨房の置場スペ−ス確保の難しさから、あいまいな分類分別のまま搬出されているのが現状である。
【発明の開示】
【発明が解決しようとする課題】
【０００３】  そのために、次のような問題点があった。
（イ）生活排出ゴミは現在分別収集、処理する社会環境にある。しかし家庭内では、分別のための定型容器を多数置いておくようなスペ−は確保しにくい現状にある。
（ロ）生ゴミを除く、その他の燃えるゴミ、プラスチック類、ペットボトル類、缶・ビン類等多品目を場所を取らずに分別、整理、整頓、片付ける方法はほとんど無い。
本発明は、これ等の問題点を解決するためのものである。
【課題を解決するための手段】
【０００４】金属ワイヤ−または合成樹脂で形成するトライアングル形のハンガ−を基調にして、その底辺軸の左右端近くにゴミ袋を開口状態で装着出来るア−ムを出させる構造の形成体をはめ込み、ア−ムの底辺軸側および先端側にはそれぞれに袋掛け爪を形成体と一体物として付帯させることにより、ゴミ袋の取っ手を袋掛け爪に掛けたとき袋の開口状態が保てて、かつハンガ−が懸架状態で立体的にゴミの分別整理が出来るようにしたことを特徴とするゴミ袋ハンガ−である。
【発明の効果】
【０００５】家庭内ゴミの分別整理で床スペ−スは生ごみ容器１個だけで済ませ、その他の燃えるゴミ、プラスチック類、ペットボトル類、缶・ビン類等は、ゴミ袋ハンガ−を用いてゴミ袋、レジ袋、紙袋等を装着して厨房作業に支障の無いコ−ナ−、壁面、掛け竿等に掛けて立体的に分別整理が確実に出来るから、ゴミ袋の取付け取外しと搬出が容易であり、更に床スペ−スを取らないという利点が大きい。また屋外でのゴミ収集活動には腰のベルトにハンガ−を掛けて使用でき両手が自由に使える安全がある。
【発明を実施するための最良の形態】
【０００６】以下、本発明の実施の形態を金属ワイヤ−ハンガ−を基調にしたゴミ袋ハンガ−について説明する。
（イ）基調となるトライアングル形状ハンガ−（１）とその上部にはハンガ−面に対して角度可変可能な掛けフック（２）がある。
（ロ）右ア−ム（４）、左ア−ム（５）を先端で連結棒（６）で結んだ一体ものア−ム形成体を作り、左右ア−ムの後側にはトライングル形状ハンガ−のなす底辺軸（３）側に連結させるための滑りはめ込み軸（７）を設けてはめ込みハンガ−面に対してア−ム形成体が閉、開できるようにする。ア−ム形成体が金属ワイヤ−の場合トライアングル形状ハンガ−の底辺軸に連結する方法としてつる巻き形で連結できる。
（ハ）ア−ム形成体は左右ア−ム先端に袋掛け用爪（８）とア−ム後端に袋掛け用爪（９）を備えている。後端の袋掛け用爪はア−ム形成体がゴミ袋を装着し使用する時には開口して水平に保てるストッパ−を兼ねる。
（ニ）ア−ム連結棒中間部にはゴミ袋ダレ防止用クリップ（１０）を設ける。
本発明は以上のような構成で、これを使用するときは、
トライアル形状ハンガ−形状（１）を掛けフック（２）でコ−ナ−、壁面、掛竿等に掛けて、ゴミ袋ハンガ−に付帯しているア−ム形成体を閉から開の状態、即ち水平に開き、この状態でゴミ袋の取っ手を開いてア−ム（４）（５）先端の袋掛け爪、およびア−ム後端左右の袋掛け爪（９）それぞれに掛けて袋の開口状態をつくり、各種分別ゴミの投入が出来るようにする。こうして床スペ−スを占拠することなく多品種のゴミを分別整理、搬出することが出来る。
また本発明の技術を利用して、占いワイヤ−ハンガ−をリサイクルして本発明のゴミ袋ハンガ−を作ることが出来る利点がある。
【図面の簡単な説明】
【０００７】
【図１】本発明の斜視図
【図２】本発明の一部、ア−ム形成体の閉じた状態図。
【図３】本発明の実施例を示す斜視図
【符号の説明】
【０００８】１  トライアングル形状ハンガ−
２  掛けフック
３  底辺軸
４  右ア−ム
５  左ア−ム
６  連結棒
７  滑りはめ込み軸
８  袋掛け用爪
９  袋掛け用爪
１０クリップ
１１ゴミ袋
【図１】
2009249180.tif 000003
【図２】
2009249180.tif 000004
【図３】
2009249180.tif 000005
(57)【要約】【課題】    本発明は、下水道管敷設後の現場発生土の埋め戻し用の改良土に限ることなく、造成地の盛土や道路補修用の補修材として広く利用できる改良土を提供する。【解決手段】  現場発生土に固化材として高炉セメントを配合混練した改良土であって、既存の改良された生コンクリートプラントを利用することにより、製法が簡単で、しかも生産された改良土は早硬性と耐水性があり、広い範囲の利用が期待できる。【選択図】  図１
2009249931.tif 000002
【特許請求の範囲】
【請求項１】
既存する生コンクリートプラントを利用し、該コンクリートプラントに現場発生土を一旦貯蔵し、篩い分け後、これを貯蔵ビンに収納する。一方固化剤として高炉セメントを用い、前記貯蔵ビン内の現場発生土を計量して取出し、これに対して７〜２重量％高炉セメントを混合してなる現場埋め戻し用の改良土。
【発明の詳細な説明】
【技術分野】
【０００１】
本発明は、下水道管敷設工事の際の掘返した現場発生土を使用した埋め戻し用の改良土に関する。    
【背景技術】
【０００２】
下水道管敷設に際して大量に発生した土は、下水道管敷設後そのまま埋め戻して地盤を形成しているが、この場合に形成された地盤は軟弱で安定化が図れず、このため敷設した下水道の管路にもひずみが生じる等のおそれがあった。
【特許文献１】特開２００３−１５５４８２号公報
【発明の開示】
【発明が解決しようとする課題】
【０００３】
この埋め戻した地盤の軟化は大型機械を使用して転圧締固めているが、一旦掘返された土は、土砂や石などが浮いていて転圧しても安定せず、この処理に時間がかかるばかりか、これに要する手間にも難点があった。
【課題を解決するための手段】
【０００４】
発明者はこの点に鑑み鋭意研究を重ねた結果本発明に到達したものであって、本発明は、前処理施設として既存の生コンクリートプラントを利用し、このプラント内に現場発生土を収納し、この現場発生土に固化材として高炉セメントを混入することによって、この問題を解決したものである。固化材として使用する高炉セメントはポルトランドセメントに高炉から出る高炉滓を混入したもので、早硬性があり耐水性があることで知られているセメントであり、本発明において現場発生土に高炉セメントを発生土の土質によって７〜２重量％混入することにより、埋め戻された地盤は、硬化が早まり締固めが適度により、地盤の安定が図られる。
【発明の効果】
【０００５】
上述のように本発明は、現場発生土に高炉セメントを固化材として使用することによって、埋め戻した地盤が早期に安定するため作業の進行が速く土地の使用計画なども立て易くなり、本発明の改良土使用によって生ずる土木業界にもたらす作用効果は顕著である。
【実施例】
【０００６】
（１）現場発生土の処理
下水道管敷設現場から排出された土を既存する生コンクリートプラントに運び保留する。そして、このプラント内で振動篩分け処理を行い、石塊や木根等の雑物を取り除くと同時に土質などを調査する。そして、土砂のみを貯蔵ビンに保積する。この貯蔵ビンとは大型の椀状の容器で、内面に居付防止用の高分子材料でコーテングがされ、さらに振動装置が設けてあり、この既存の改良された生コンクリートプラントで固化材と混練される。
【０００７】
（２）固化材の処理
固化材としては高炉セメントを使用する。セメント工場よりタンクローリーによって現場発生土と同様に既存の生コンクリートプラントに搬入し、セメントサイロに移して一旦貯蔵ビンに保留する。
このように処理された現場発生土（１）と固化材（２）を混練して埋め戻し現場に搬送する。この現場発生土と固化材（高炉セメント）との配合割合は固化材を７〜２％（重量）が適当であって、現場発生土の土質によって固化材の配合割合を加減調整する。
【０００８】
このように既存の改良された生コンクリートプラントにて、（１），（２）を混練された改良土は埋め戻し現場に搬送されている下水道管路内に埋め戻され転圧されて工事は終了となる。
【産業上の利用可能性】
【０００９】
本発明の改良土については、下水道管敷設の埋め戻し用土として記載しているが、上述のように既存の生コンクリートプラントを有効に利用することができる。そして本発明によって形成された改良土の利用は単に埋め戻し用土に限ることなく、一般の宅地造成の際の盛土や道路の補修等に対しても、固化材としての高炉セメントの早硬性や耐水性の特性
が生かされるため本発明の改良土の利用可能性は高い。
【図面の簡単な説明】
【００１０】
【図１】既存の生コンクリートプラントを利用した改良土製造工程図
【図１】
2009249931.tif 000003
(57)【要約】【課題】  従来の植物成長促進剤は、それぞれの特定の条件では効果を示すものの、その効果の安定性、再現性に問題があり、また、製造にあたって特別の技術を必要とするものがあった。本発明は、安価な原料でしかも簡単に製造でき、さらに安定して長期間使用できる植物成長促進剤を得ることを目的とする。【解決手段】  ゲルマニウムを含む温泉水を煮沸・濃縮し、ゲルマニウムの濃度が０.５mg／Ｌとしたことを特徴とする植物成長促進剤である。【選択図】なし【特許請求の範囲】
【請求項１】
ゲルマニウムを含む温泉水を煮沸・濃縮してなることを特徴とする植物成長促進剤。
【請求項２】
ゲルマニウム濃度が０.５mg／Ｌ以上であることを特徴とする請求項１記載の植物成長促進剤。
【発明の詳細な説明】
【技術分野】
【０００１】
本発明は、ゲルマニウムを含有する温泉水からなる植物成長促進剤に関する。
【背景技術】
【０００２】
従来から多くの植物成長促進剤が知られている。特に各種微生物を利用したものとして枯草菌を利用したもの（例えば、特許文献１参照。）、あるいはシュートモナス菌を利用したもの（例えば、特許文献２，３参照。）、トリコデルマ属の菌を利用したもの（例えば、特許文献４参照。）、アゾスピリラム菌を利用したもの（例えば、特許文献５参照。）、ロドシューモナス菌を利用したもの（例えば、特許文献６参照。）等がある。
【０００３】
微生物以外のものからなる植物成長促進剤として、フルフラールと水酸化カリウムを原料とするもの（例えば、特許文献７参照。）、核酸及びその関連物質を利用したもの（例えば、特許文献８，９参照。）、ポリアミンを原料としたもの（例えば、特許文献１０参照。）、籾殻を原料としたもの（例えば、特許文献１１参照。）、甘草抽出物等を原料としたもの（例えば、特許文献１２参照。）、シクロデキストリンを用いたもの（例えば、特許文献１３参照。）、トリハロースとクエン酸を用いたもの（例えば、特許文献１４参照。）、ルテオリンを用いたもの（例えば、特許文献１５参照。）などがあげられる。
なお、ゲルマニウムを含有することを特徴とする植物成長促進剤は開示されていない。
【０００４】
以上述べた植物成長促進剤のうち、微生物を利用したものは、他の雑菌による汚染を受け易く、長期に亘る保存には向かないという欠点があげられている。
また、フルフラールを原料とするものは、原料であるフルフラールの毒性が問題としてあげられる。その他、核酸及び核酸関連物質や、甘草抽出物、ミクロデキストリン、トレハロース、ルテオリン等を利用するもののうち、原材料が比較的高価なものとか、あるいは籾殻のように大量かつ安価に得られる原料を用いるものでも、その効果が必ずしも十分でないものがあった。
【０００５】
【特許文献１】特開平９−２０６０７号公報
【特許文献２】特開２００１−３０４２７号公報
【特許文献３】特開２０００−１９１４２１号公報
【特許文献４】特開平１１−２７９０１５号公報
【特許文献５】特開平９−２２７３２２号公報
【特許文献６】特開平８−３１０９１０号公報
【特許文献７】特開平６−２９８６０８号公報
【特許文献８】特開２００４−１９６６７９号公報
【特許文献９】特開２００１−７２５１４号公報
【特許文献１０】特開２００２−２９９０５号公報
【特許文献１１】特開２００２−３３８４２０号公報
【特許文献１２】特開２０００−３０９５０２号公報
【特許文献１３】特開２００１−８１１０２号公報
【特許文献１４】特開２００７−３０８４３４号公報
【特許文献１５】特開２００５−３２０２６６号公報
【発明の開示】
【発明が解決しようとする課題】
【０００６】
本発明は、比較的安価で、かつ大量に得られる原料を利用し、特別な技術を必要とすることなく製造でき、長期間安定に貯蔵でき、しかも優れた効果のある植物成長促進剤を提供することを目的とする。
【課題を解決するための手段】
【０００７】
本発明者は、上記課題を解決するために、鋭意研究を続けてきたが、ゲルマニウムを含む温泉水を煮沸・濃縮したものが、驚くほど顕著な植物成長促進作用を発揮することを見出し、本発明を完成するに至った。
【０００８】
すなわち、本発明の請求項１に記載する植物成長促進剤は、ゲルマニウムを含む温泉水を煮沸・濃縮してなることを特徴とする植物成長促進剤である。
単にゲルマニウム塩を水に溶解したものでは十分に効果が得られず、温泉水中に適度に含まれるナトリウム、カリウム分等が植物成長の促進に寄与するものと認められるからである。また、ゲルマニウムを含む温泉水を煮沸・濃縮することで、温泉水中に含まれるおそれのある硫化水素等の気体成分を完全に除去すること、さらに、マグネシウム、カルシウム等の硬度成分を炭酸塩として除去し、金属イオンのバランスをとるためである。また、有効成分を濃縮使用し、流通・保存の便をはかるためでもある。
【０００９】
本発明の請求項２に記載する植物成長促進剤は、ゲルマニウム濃度が０.５mg／Ｌ以上であることを特徴とする請求項１記載の植物成長促進剤である。
植物の成長促進を顕著に発揮させるには、ゲルマニウム濃度が０.５mg／Ｌ以上であることが好ましい。より好ましくは、ゲルマニウムの１.０mg／Ｌ前後であることが望ましい。なお、ゲルマニウム濃度が１０mg／Ｌと高くなり過ぎると副作用が生じ、植物に障害を与えるおそれもあるといわれていることから注意する必要がある。
【発明の効果】
【００１０】
本発明の植物成長促進剤は、安価で、簡単に製造でき、しかも長時間安定で優れた植物成長促進効果を示すとともに、植物の病気に対する耐性を高めたり、収量の増加等についても効果が期待できる。
【発明を実施するための最良の形態】
【００１１】
以下、本発明の実施の形態について説明する。
鹿児島市本名町の宮城温泉の温泉水４０Ｌを煮沸・濃縮して０.５Ｌとした。
濃縮前の温泉水の分析値を表１に示す。また、濃縮後の分析値を表２に示す。
【００１２】
表１
2009249252.tif 000002
【００１３】
表２
2009249252.tif 000003
【００１４】
濃縮することにより、ゲルマニウム濃度は０.０１６mg／Ｌから１mg／Ｌへと増加し、ナトリウム、カリウムの濃度も同様に増加している。ただし、カルシウムの濃度の増加は僅かであり、マグネシウムはほとんど増加していない。
カリウム及びマグネシウムは、温泉水を煮沸することにより炭酸塩となって沈降分離したものと考えられる。
【実施例１】
【００１５】
表２に示す温泉水濃縮物を、小豆に散布した。散布後、１年で枯れずに茎の長さは２年後、実施例では５〜６ｍとなったが、比較例では１年で枯れて３０〜４０cmであった。
【実施例２】
【００１６】
花筒に花を活け、温泉水濃縮物を入れたものと、水道水を入れたものとで変化を観察した。同じ機構条件で比較したところ、水道水を入れたものに対し、温泉水濃縮物を入れた花は、約１０日程度、日持ちがした。
(57)【要約】【課題】結晶が析出しにくいプラズマディスプレイパネル配線導体用ガラス組成物の提供。【解決手段】下記酸化物基準の質量百分率表示で、ＳｉＯ２を２．５〜３．５％、Ｂ２Ｏ３を９〜１１％、ＺｎＯを８〜１０％、ＢａＯを５〜７％、Ｂｉ２Ｏ３を７１〜７３％含有するプラズマディスプレイパネル配線導体用ガラス組成物。【選択図】なし【特許請求の範囲】
【請求項１】
下記酸化物基準の質量百分率表示で、ＳｉＯ２を２．５〜３．５％、Ｂ２Ｏ３を９〜１１％、ＺｎＯを８〜１０％、ＢａＯを５〜７％、Ｂｉ２Ｏ３を７１〜７３％含有するプラズマディスプレイパネル配線導体用ガラス組成物。
【発明の詳細な説明】
【技術分野】
【０００１】
本発明はプラズマディスプレイパネル配線導体に用いられるガラス組成物に関する。
【背景技術】
【０００２】
プラズマディスプレイパネル（ＰＤＰ）においては、配線に使用される導体をＡｇ粉末にガラスの粉末を混ぜて焼結して作製される場合がある。
従来このようなガラスには主に鉛ガラスが用いられていたが、近年、鉛を含まないＢｉ２Ｏ３系ガラスの使用が提案されている（特許文献１参照）。
【０００３】
【特許文献１】特開２００７−６３１０５号公報
【発明の開示】
【発明が解決しようとする課題】
【０００４】
特許文献１で提案されているガラスは焼成したときにガーナイトまたはジルコンの結晶を析出するものであるが、焼成しても結晶が析出しないものが求められる場合がある。
本発明はこのような課題を解決できるＰＤＰ配線導体用ガラス組成物の提供を目的とする。
【課題を解決するための手段】
【０００５】
本発明は、下記酸化物基準の質量百分率表示で、ＳｉＯ２を２．５〜３．５％、Ｂ２Ｏ３を９〜１１％、ＺｎＯを８〜１０％、ＢａＯを５〜７％、Ｂｉ２Ｏ３を７１〜７３％含有するＰＤＰ配線導体用ガラス組成物を提供する。
【発明の効果】
【０００６】
本発明は耐酸性に優れ、しかも焼成時に結晶が析出しないまたは析出しにくいＰＤＰ配線導体用ガラス組成物が得られる。
【発明を実施するための最良の形態】
【０００７】
本発明のガラス組成物の質量百分率表示組成について以下に説明する。
ＳｉＯ２は網目形成成分であり、また、耐酸性を向上させる成分であり、必須である。３．５％超では軟化点（Ｔｓ）が高くなるおそれがある。
Ｂ２Ｏ３は網目形成成分であり、必須である。１１％超では耐酸性が低下するおそれがある。
【０００８】
ＺｎＯはガラスを安定化させる成分であり、必須である。１０％超では耐酸性が低下するおそれがある。
ＢａＯはガラスを安定化させる成分であり、必須である。７％超では耐酸性が低下するおそれがある。
【０００９】
Ｂｉ２Ｏ３はＴｓを低下させる成分であり、必須である。７３％超では焼成時にガラスが結晶化しやすくなる。
本発明のガラス組成物は上記成分以外のものを本発明の目的を損なわない範囲で含有してもよい。なお、Ａｌ２Ｏ３は含有する場合でも２％以下であることが好ましく、また、ＺｒＯ２は含有しないことが好ましい。
【００１０】
本発明のガラスのＴｓは典型的には４７０〜４９０℃である。
本発明のガラスは通常は適切に粉砕・分級され、ＰＤＰ配線導体の原料のガラス粉末として用いられる。
【実施例】
【００１１】
本発明のガラス組成物の実施例として、Ｔｓが４８０℃であり、質量百分率表示で、３％のＳｉＯ２、１０％のＢ２Ｏ３、９％のＺｎＯ、６％のＢａＯ、７２％のＢｉ２Ｏ３からなるものが挙げられる。
このガラスを６００℃で焼成したところ結晶析出は認められなかった。
また、このガラスの粉末の焼成体を酸水溶液に浸漬する耐酸性試験を行ったところ浸漬前後での質量減少率が小さく、耐酸性は良好であった。
【産業上の利用可能性】
【００１２】
ＰＤＰ配線導体の原料として利用できる。
(57)【要約】【課題】本発明は、簡単な構造で、鎖錠棒６が箱体本体１とこすれることがなくなるような鎖錠棒６の構造を提供することを目的としている。【解決手段】本発明に係る鎖錠棒６の構造は、扉体３の開閉動作を行うハンドルの回転動作に連動する鎖錠棒６の先端に回転金具８を設け、回転金具８は箱体本体１の開口２周縁部に当接される当接凸部８ａ，８ｂを弧状に形成し、鎖錠棒６が箱体本体１に触れて傷がついたりしないようにすることを特徴とする。【選択図】図１
2009249849.tif 000002
【特許請求の範囲】
【請求項１】
前面に開口を有する箱体本体に扉体を回動動作により開閉可能に蝶着して成る機器収納用箱体の、前記扉体が閉塞状態に前記箱体本体に鎖錠するための鎖錠棒の構造であって、前記扉体の開閉動作を行うハンドルの回転動作に連動する前記鎖錠棒の先端に回転金具を設け、該回転金具は前記箱体本体の開口周縁部に当接される当接凸部を弧状に形成することを特徴とする鎖錠棒の構造。
【発明の詳細な説明】
【技術分野】
【０００１】
本発明は、前面に開口を有する箱体本体に扉体を回動動作により開閉可能に蝶着して成る機器収納用箱体の、扉体が閉塞状態に箱体本体に鎖錠するための鎖錠棒の構造に関するものである。
【背景技術】
【０００２】
前面に開口を有した箱体本体の、開口は扉体で施蓋される機器収納用箱体において、扉体の開閉は、ハンドルの回動動作によって行われる。ハンドル動作に連動する回転板が扉体内側に設けられている。この回転板には、上側鎖錠棒と下側鎖錠棒とが取り付けられ、ハンドルを動かすことにより回転板が回転し、鎖錠棒が上下動作する。鎖錠棒の上下端部を、箱体本体の開口周縁部に係止させて、鎖錠するものである。
【特許文献１】特開２００６−５９８８７号公報
【発明の開示】
【発明が解決しようとする課題】
【０００３】
しかしながら上記技術のように、鎖錠棒を直接箱体本体に当てて鎖錠する構造では、鎖錠棒が箱体本体にこすれ、箱体本体に擦り傷が付き、錆発生の原因となっていた。また、鎖錠棒を動作させる際、箱体本体にこすられることで、摩擦抵抗が大きくなり、ハンドル動作に力が必要となる不具合があった。また、鎖錠棒が箱体本体にこすれることで、異音が発生していた。
【課題を解決するための手段】
【０００４】
そこで本発明は、簡単な構造で、鎖錠棒が箱体本体とこすれることがなくなるような鎖錠棒の構造を提供することを目的とし、その構造は、扉体の開閉動作を行うハンドルの回転動作に連動する鎖錠棒の先端に回転金具を設け、回転金具は箱体本体の開口周縁部に当接される当接凸部を弧状に形成することを特徴とする。
【発明の効果】
【０００５】
本発明に係る鎖錠棒の構造は、扉体の開閉動作を行うハンドルの回転動作に連動する鎖錠棒の先端に回転金具を設け、回転金具は箱体本体の開口周縁部に当接される当接凸部を弧状に形成するため、鎖錠棒が直接箱体本体に当たらず、鎖錠棒による箱体本体への傷がつかず、防錆効果がある。鎖錠棒の動作時の摩擦抵抗が減り、ハンドルの動作も軽い力で行える。鎖錠棒は直接箱体本体には当たらず、こすれることもないので、異音が発生しない。
【発明を実施するための最良の形態】
【０００６】
本発明に係る鎖錠棒の構造の実施例を図１〜図３の添付図面に基いて説明する。
【０００７】
機器収納用箱体は、前面に開口を有する箱体本体１と、開口２を施蓋する扉体３とから構成される。箱体本体１の開口２周縁部は、箱体本体１へ雨水の浸入を防ぐため、水切り部４が折曲形成されている。扉体３にはハンドル５を設けており、扉体３の内側には、ハンドル動作と連動する鎖錠棒６が取り付けられている。ハンドル５の裏面には、ハンドル動作と共に回転する回転板７が設けられており、回転板７にそれぞれ上側鎖錠棒６ａと下側鎖錠棒６ｂとが接続されている。ハンドル５を回転させることで回転板７が回転し、鎖錠棒６が上下動する。扉体３が箱体本体１の開口２を施蓋した状態では、ハンドル５を閉の状態にしたとき、鎖錠棒６が箱体本体１の水切り部４に係止されることになる。
【０００８】
鎖錠棒６の上下端部、箱体本体１の開口２周縁部に係止される部分には、回転金具８を取り付ける。回転金具８は、水切り部４の上下面に当接される第一の当接凸部８ａと、水切り部４の背面に当接される第二の当接凸部８ｂとをそれぞれ弧状に設ける。回転金具８は鎖錠棒６に回動可能に取り付けられ、ばね（図示せず）を用いて箱体本体の内側に向かって付勢している。
【０００９】
ハンドル５を開状態にしたときに、鎖錠棒６の係止は解除されており、扉体３が開放可能な状態となる。扉体３を箱体本体１の開口２を施蓋した状態で、ハンドル５を閉状態へ回転させると、回転板７が回転して、上側鎖錠棒６ａは上へ、下側の鎖錠棒６ｂは下へ延びる。鎖錠棒６の上下動により、回転金具８に設けられた第一の当接凸部８ａが水切り部４の上下面に当たり、さらにハンドル５の回転に連動して鎖錠棒６が上下すると、回転金具８は回転し、最終的に、第二の当接凸部８ｂが水切り部４の背面に係止され、扉体３が開口２を施蓋した状態で保持される。回転金具８はばねにより付勢されているため、扉体３を確実に箱体本体１に係止させることができる。
【００１０】
鎖錠棒６が直接箱体本体１の水切り部４に当たらないように、鎖錠棒６端部には回転金具８を設ける。回転金具８は回動可能とし、水切り部４に当接した当接凸部８は、水切り部４に対して移動しないため、箱体本体１が鎖錠棒６の動作により傷ついたりせず、また、鎖錠棒６が箱体本体１に対して直接触れることなく、回転金具８の動作により鎖錠棒６が動くため、摩擦抵抗も抑えられ、ハンドル操作が平滑である。
【図面の簡単な説明】
【００１１】
【図１】本発明に係る鎖錠棒の構造を示す説明図である。
【図２】本発明に係る鎖錠棒の動作を示す説明図である。
【図３】鎖錠棒の基本的な構造を示す説明図である。
【符号の説明】
【００１２】
１    箱体本体
２    開口
３    扉体
４    水切り部
５    ハンドル
６    鎖錠棒
６ａ  上側鎖錠棒
６ｂ  下側鎖錠棒
７    回転板
８    回転金具
８ａ  第一の当接凸部
８ｂ  第二の当接凸部
【図１】
2009249849.tif 000003
【図２】
2009249849.tif 000004
【図３】
2009249849.tif 000005
(57)【要約】      （修正有）【課題】水虫を直す薬の提供。【解決手段】高度サラシ粉と精製竹酢液と桜油（馬の油）と沈降炭酸カルシウムを混ぜて、足の裏の皮膚と足の指の間の皮膚がむける水虫と足の裏のかかとが固くなる水虫を直す薬。【選択図】なし【特許請求の範囲】
【請求項１】
高度サラシ粉と精製竹酢液と桜油（馬の油）と沈降炭酸カルシウムを混ぜて、足の裏の皮膚と足の指の間の皮膚がむける水虫と足の裏のかかとが固くなる水虫がほとんど直る薬を作りました。
これを、臨床試験をするか、して、薬として、売りたいと思います。
【発明の詳細な説明】
【技術分野】水虫で、困っている人に効く薬
【発明の開示】
【発明が解決しようとする課題】水虫で、困っている人が水虫が良くなるので喜ぶ。
(57)【要約】【課題】刈り揃え等のメンテナンスを不要とし、下垂させても容易に補助資材に絡み付き、一年を通して壁面の常緑状態を保つこと。【解決手段】構造物の壁面上部にプランターを取り付け、このプランターに植栽した植物を下垂させて壁面を緑化する壁面下垂型緑化システムにおいて、上記植物に改良種のイワダレソウ１を選択し、上記プランター２下には上記イワダレソウ１を這わせる格子状の茎這わせ材４を取り付け、この茎這わせ材４に、成長時のイワダレソウの折損を防ぐ帯状の保護ネット５を取り付けた。【選択図】図１
2009297010.tif 000002
【特許請求の範囲】
【請求項１】
構造物の壁面上部にプランターを取り付け、このプランターに植栽した植物を下垂させて壁面を緑化する壁面下垂型緑化システムにおいて、上記植物に改良種のイワダレソウを選択し、上記プランター下には上記イワダレソウを這わせる格子状の茎這わせ材を取り付け、この茎這わせ材に、成長時のイワダレソウの折損を防ぐ帯状の保護ネットを取り付けたことを特徴とするイワダレソウ専用の壁面下垂型緑化システム。
【発明の詳細な説明】
【技術分野】
【０００１】  本発明は、改良種のイワダレソウを用いた壁面下垂型緑化システムの改良に関するものである。
【背景技術】
【０００２】  近年、都市部におけるヒートアイランド現象の緩和、建築物の断熱性や耐久性の向上、あるいは室内の熱環境の緩和等を目的として壁面緑化が注目されている。この壁面緑化には様々な方法が提案されているが、特許文献１では、構造物の上部に位置する平面に蔓性植物を植栽する土壌を収納するための収納ポットが配置され、この収納ポットの下方に位置する構造物には蔓性植物が育成する補助資材が垂設され、この補助資材の表面に蔓性植物の横揺れを防止する揺れ止め材が備えられた壁面緑化システムが示されている。そして、このシステムによると、蔓性植物を下垂させる場合において、伸長が早く、壁面に安定し易いといった効果が得られる。【０００３】
【特許文献１】  特開２００５−２７５６２号公報
【発明の開示】
【発明が解決しようとする課題】
【０００４】  ところが、特許文献１で用いられる蔓性植物の場合、生育環境や改良土壌等によりどこまでも下垂伸長するため、これを刈り揃える等のメンテナンスが必要となってくる。また、蔓性植物は本来、樹木や岩等を伝って登攀する性質があるため、これを下垂させても補助資材には絡み付きにくいといった欠点も生じている。また、蔓性植物の多くは冬場に枯れるという問題もある。【０００５】  本発明は、刈り揃え等のメンテナンスを不要とし、下垂させても容易に補助資材に絡み付き、一年を通して常緑の下垂型壁面緑化システムを提供することを目的とする。
【課題を解決するための手段】
【０００６】  本発明者は、蔓性植物のうち改良種のイワダレソウ（以下、単にイワダレソウという。）に着目し、このイワダレソウを、下垂させて生育させたとき、その伸長が２５０ｃｍ程度で止まる性質を有していることを知得した。そこでこの性質を壁面緑化に応用すべく、本発明を完成させた。すなわち、本発明は、構造物の壁面上部にプランターを取り付け、このプランターに植栽した植物を下垂させて壁面を緑化する下垂型壁面緑化システムにおいて、上記植物にイワダレソウを選択し、上記プランター下には上記イワダレソウを這わせる格子状の茎這わせ材を取り付け、この茎這わせ材に、成長時のイワダレソウの折損を防ぐ帯状の保護ネットを取り付けたことを特徴とするイワダレソウ専用の壁面下垂型緑化システムである。
【発明の効果】
【０００７】  本発明によると、刈り揃え等のメンテナンスを不要とし、下垂させても容易に補助資材に絡み付けることができ、一年を通して壁面の常緑状態を保つことができる。
【発明を実施するための最良の形態】
【０００８】  改良種のイワダレソウは、本共同出願人である宇都宮大学雑草科学研究センター所長の倉持仁志が、在来種のイワダレソウに改良を加え、種子を作らない常緑の耐寒性宿根草として開発したもので、品種登録出願番号第１８５９１号及び第１８５９２号として種苗登録申請中のものである。
【実施例】
【０００９】  以下、本発明によるイワダレソウ専用の壁面下垂型緑化システムを、図１を用いて説明する。イワダレソウ１は、土壌に這わせると本来は節々で根を張るが、これを下垂させた場合、根が張れない関係で、その部分からは茎が張り出すとともに、その下垂伸長も２５０ｃｍ程度で止まる性質がある。このイワダレソウ１がプランター２に植栽されている。プランター２は、例えばその寸法が幅９００ｍｍ×奥行き２５０ｍｍ×高さ２００ｍｍで成型され、壁面３に建築外壁用固定金具（図示せず。）により固定されている。【００１０】  プランター２の下には、イワダレソウ１の茎を下垂させて這わせる格子状の茎這わせ材４が固定されている。この茎這わせ材４は、イワダレソウ１が下垂したときにこれに絡み付き易いように、その面がプランター２の外面の延長面に置かれるのが好ましい。なお、茎這わせ材４は、金属又は樹脂等の腐食しにくい材質により成形されている。さらにこの茎這わせ材４の表面には、成長時にこれに絡み付かないことのあるイワダレソウ１の一部を風による折損から保護する帯状の保護ネット５が取り付けられている。なお、この保護ネット５の幅や取り付け数に制限はない。【００１１】  上記下垂型緑化システムによると、イワダレソウ１は、成長するにつれて茎這わせ材４の格子部分の表面側を這ったり中に入ったりして、これに絡みつくようになる。イワダレソウ１が伸長を続けると、中には茎這わせ材４に絡み付かないものも出てくるが、そのようなイワダレソウ１は、保護ネット５により保護される。そして、イワダレソウ１が下垂長で２５０ｃｍ程度に達すると、その伸長が止まり、あとは、節々から出てきている茎が次第に成長する。したがって、イワダレソウ１は伸び過ぎることがないので、刈り揃えのメンテナンスを不要にすることができる。また、茎這わせ材４にも絡み付き易い性質を有している。さらに常緑であるので、一年を通して緑化壁面を保持することもできる。
【図面の簡単な説明】
【００１２】
【図１】本発明によるイワダレソウ専用の壁面下垂型緑化システムの一例を示す斜視図である。
【符号の説明】
【００１３】  １    改良種のイワダレソウ
２    プランター
３    壁面
４    茎這わせ材
５    保護ネット
【図１】
2009297010.tif 000003